(57)【要約】【課題】液晶表示パネルの表示面を覆うカバーガラスに蓄積される電荷を速やかに逃がすことができるようにする。【解決手段】共通電極５及び画素電極８が内面に配置されているＡＲ基板１と内面に電極の配置されていないＣＦ基板２との間に液晶４を挟持する液晶表示パネル１０と、液晶表示パネル１０の表示面側を覆う透明なカバーガラス１７とを含み、透明カバーガラス１７の少なくともいずれか一方の表面に透明導電膜１３が形成されている。この液晶表示パネル１０を筐体２００に収めることで、透明導電膜１３が筐体２００に形成された導電膜２００ｆを介してアース接続され、カバーガラス１７に蓄積される電荷が筐体２００側へ逃がされる。【選択図】図２
2008203591.tif 000002
【特許請求の範囲】
【請求項１】
共通電極及び画素電極が内面に配置されている一方の基板と内面に電極の配置されていない他方の基板との間に電気光学物質を挟持する表示パネルと、
前記表示パネルの表示面側を覆う透明カバー部材とを、含み、
前記透明カバー部材の少なくともいずれか一方の表面に透明導電膜が形成される
ことを特徴とする電気光学装置。
【請求項２】
前記透明導電膜が前記透明カバー部材の前記表示パネルとは反対側の面に形成される
ことを特徴とする請求項１記載の電気光学装置。
【請求項３】
前記透明導電膜が前記透明カバー部材の前記表示パネル側の面に形成される
ことを特徴とする請求項１或いは２記載の電気光学装置。
【請求項４】
前記透明導電膜が前記他方の基板の外表面に形成された基板透明導電層と電気的に接続されていることを特徴とする請求項３記載の電気光学装置。
【請求項５】
前記透明導電膜は前記他方の基板の外表面に形成された前記基板透明導電層及び前記他方の基板と前記一方の基板とを電気的に導通する導通部とを介して前記一方の基板側に形成されたアース配線に電気的に接続されていることを特徴とする請求項４に記載の電気光学装置。
【請求項６】
前記請求項１〜５の何れか１項に記載の電気光学装置を表示部に備えることを特徴とする電子機器。
【請求項７】
共通電極及び画素電極が内面に配置されている一方の基板と内面に電極の配置されていない他方の基板との間に電気光学物質を挟持する表示パネルと、
前記表示パネルの表示面側を覆う透明カバー部材と、
前記透明カバー部材と係合する観察窓を有する筺体と、を含み、
前記透明カバー部材の少なくともいずれか一方の表面に透明導電膜が形成され、
前記透明導電膜が前記筺体を介してアースに接続されることを特徴とする電子機器。
【請求項８】
前記透明導電膜が前記透明カバー部材の前記表示パネル側の面に形成される
ことを特徴とする請求項７記載の電子機器。
【請求項９】
前記透明導電膜が前記他方の基板の外表面に形成された基板透明導電層と電気的に接続されていることを特徴とする請求項８記載の電子機器。
【発明の詳細な説明】
【技術分野】
【０００１】
本発明は、表示パネルを覆う透明カバー部材に蓄積される電荷を効率よく逃がすことができるようにした電気光学装置、及び電子機器に関する。
【背景技術】
【０００２】
周知のように、この種の電気光学装置の代表である液晶装置は、携帯電話機を代表とする移動体端末やモニターの表示部に広く採用されている。この液晶装置として横電界方式を採用するものが知られている。横電界方式は、液晶に印加する電界の方向を基板に略平行とする方式であり、ＴＮ(Twisted Nematic)方式などと比較して視覚特性の向上を図ることができるという利点がある。尚、横電界方式の液晶装置としては、ＩＰＳ(In-Plane Switching)方式、又は、ＦＦＳ(Fringe Field Switching)方式といったものが知られている。
【０００３】
この横電界方式の液晶装置では、一方の基板のみが電極を有しているため、電極の形成されていない他方の基板に静電気が帯電し易くなり、この他方の基板に蓄積した電荷により縦方向に電界が発生した場合、液晶分子の配向が特定方向に固定されてしまうため、液晶分子の配向を制御することができなくなり、表示ムラが発生する。
【０００４】
液晶装置が携帯電話などの移動体端末に内装されている場合、移動体端末内での摩擦により他方の基板に電荷が蓄積し易くなる。従って、他方の基板の静電気対策は、製造過程は勿論のこと、出荷後においても行う必要がある。
【０００５】
ここで、図５を用いて、静電気対策の施された従来の横電界方式の液晶装置について簡単に説明する。この液晶装置は、図の下部にバックライト照明装置（図示せず）を有し、このバックライト照明装置上に、液晶表示パネル２０２が設けられている。この液晶表示パネル２０２は対向する一対の透明基板２０４，２０５を有し、両透明基板２０４，２０５の対向面がシール材２０７を介して貼り合わされており、この基板２０４，２０５間に液晶４が挟持されている。尚、符号２０６ａ，２０６ｂは偏光板である。
【０００６】
透明基板２０４の液晶４との界面側の面に、画素電極や共通電極を代表とする電極が形成されており、一方の透明基板２０５の外表面に透明導電膜２０８が形成されている。透明基板２０４の張出し部２０４ａにはアース配線２０４ｂが形成されており、このアース配線２０４ｂと透明基板２０５に形成されている透明導電膜２０８とが、導電ペースト２０９により電気的に接続されている。
【０００７】
図５に示す液晶装置では、透明基板２０５に蓄積した電荷は、透明基板２０５の外表面に形成した透明導電膜２０８から導電ペースト２０９を介して透明基板２０４側へ逃がされるため、透明基板２０４，２０５間に電界が発生せず、良好な表示状態を得ることができる。
【０００８】
又、同様の技術として、例えば特許文献１（特許第２７５８８６４号公報）には、上述した導電ペーストに代えてケーブルを用いて、透明基板２表面に形成されている透明導電膜１３と透明基板１に形成されているアース配線２０４ｂとをケーブル用いて電気的に導通させる技術が開示されている。
【特許文献１】特許第２７５８８６４号公報
【発明の開示】
【発明が解決しようとする課題】
【０００９】
ところで、横電界方式の液晶装置を移動体端末の表示部に取付ける場合、上述した図５に示すように、移動体端末の筐体２００に開口されている観察窓２００ａに、カバーガラス２０１を取付け、液晶表示パネル２０２の表示面をその下方に配設することで、当該表示面を保護する構造となっている。
【００１０】
この場合、カバーガラス２０１の裏面を液晶表示パネル２０２の外表面に枠状に塗布した接着剤２０３を介して接着させることで、カバーガラス２０１と液晶表示パネル２０２とを一体化した構造のものも知られている。
【００１１】
一般に、この種のカバーガラス２０１は、軽量で、加工性が良く、しかも、耐衝撃性に優れたアクリル樹脂やポリカーボネート樹脂などの透明樹脂の射出成形品が多く採用されている。樹脂製のカバーガラス２０１は誘電体であるため、このカバーガラス２０１にも電荷が蓄積し易い。
【００１２】
先に示した特許文献のように液晶表示パネル２０２の外表面に蓄積した電荷をアース配線に逃がす対策をとってある場合においても、カバーガラス２０１と液晶表示パネル２０２とが電気的に導通していないため電荷が蓄積することが考えられる。
【００１３】
このカバーガラス２０１に蓄積された電荷は、導電性を有する物体（例えば観察者の手）の近接、或いは接触により放電されて、静電気ノイズが発生する。このカバーガラス２０１には電荷が繰り返し蓄積されるため、静電気ノイズの発生頻度は比較的多く、静電気ノイズ により表示画像の乱れ等の悪影響を及ぼすことがあり、観察者に不快感を与えることになる。
【００１４】
本発明は、上記事情に鑑み、表示パネルと透明カバー部材とを組付ける際の工数を増加させることなく、透明カバー部材に蓄積される電荷を速やかに逃がすことができて、静電気ノイズの発生を未然に防止し、観察者に不快感を与えることのない液晶装置を提供することを目的とする。
【課題を解決するための手段】
【００１５】
上記目的を達成するため本発明による第１の電気光学装置は、共通電極及び画素電極が内面に配置されている一方の基板と内面に電極の配置されていない他方の基板との間に電気光学物質を挟持する表示パネルと、前記表示パネルの表示面側を覆う透明カバー部材とを含み、前記透明カバー部材の少なくともいずれか一方の表面に透明導電膜が形成されることを特徴とする。
【００１６】
このような構成では、表示パネルの表示面側を覆う透明カバー部材の少なくともいずれか一方の表面に透明導電膜を形成したので、表示パネルを筐体に収めた場合には、透明導電膜が筐体を介してアース接続される。或いは、この透明導電膜を外部のアース配線と電気的に接続させることができる。その結果、表示パネルと透明カバー部材とを組付ける際の工数を増加させることなく、透明カバー部材に蓄積される電荷を速やかに逃がすことができる。従って、導電性を有する物体が透明カバー部材に近接し、或いは接触しても放電することがなく、静電気ノイズの発生を未然に防止することができ、観察者に不快感を与えることが無くなる。
【００１７】
第２の電気光学装置は、第１の電気光学装置において、前記透明導電膜が前記透明カバー部材の前記表示パネルとは反対側の面に形成されることを特徴とする。
【００１８】
このような構成では、透明導電膜を透明カバー部材の、表示パネルとは反対側の面に形成したので、透明カバー部材を筐体に対して内部側から収めた場合に、この透明導電膜が筐体を介してアース接続されるため、組立時の作業効率が向上する。
【００１９】
第３の電気光学装置は、第１或いは第２の電気光学装置において、前記透明導電膜が前記透明カバー部材の前記表示パネル側の面に形成されることを特徴とする。
【００２０】
このような構成では、明導電膜を透明カバー部材の、表示パネル側の面に形成したので、透明カバー部材を筐体に対して外方から収めた場合に、この透明導電膜が筐体を介してアース接続されるため、組立時の作業効率が向上する。
【００２１】
第４の電気光学装置は、第３の電気光学装置において、前記透明導電膜が前記他方の基板の外表面に形成された基板透明導電層と電気的に接続されていることを特徴とする。
【００２２】
このような構成では、透明カバー部材の表示パネル側の面に形成された透明導電膜が、他方の基板の外表面に形成された基板透明導電層に電気的に接続されているので、例えば、基板透明導電層が偏光板である場合、この偏光板と透明導電膜との間を接着する接着剤が導電性を有していれば、表示パネル側に蓄積された電荷を、透明カバー部材を介して逃がすことができる。或いは透明カバー部材側に蓄積される電荷を表示パネルのアース配線を介して逃がすことができる。
【００２３】
第５の電気光学装置は、第４の電気光学装置において、前記透明導電膜は前記他方の基板の外表面に形成された前記基板透明導電層及び前記他方の基板と前記一方の基板とを電気的に導通する導通部とを介して前記一方の基板側に形成されたアース配線に電気的に接続されていることを特徴とする。
【００２４】
このような構成では、透明導電膜を、他方の基板の外表面に形成した基板透明導電層及び他方の基板と一方の基板とを電気的に導通する導通部とを介して一方の基板側に形成したアース配線に電気的に接続したので、透明導電膜側に蓄積される電荷を、アース配線を介して逃がすことができる。
【００２５】
又、本発明による第１の電子機器は、前記第１〜第５の電気光学装置の何れか１つを表示部に備えたので、電子機器の表示部に導体が近接し、或いは接触しても静電気ノイズが発生せず、観察者に不快感を与えることがない。
【００２６】
第２の電子機器は、共通電極及び画素電極が内面に配置されている一方の基板と内面に電極の配置されていない他方の基板との間に電気光学物質を挟持する表示パネルと、前記表示パネルの表示面側を覆う透明カバー部材と、前記透明カバー部材と係合する観察窓を有する筺体とを含み、前記透明カバー部材の少なくともいずれか一方の表面に透明導電膜が形成され、前記透明導電膜が前記筺体を介してアースに接続されることを特徴とする。
【００２７】
このような構成では、表示パネルの表示面側を覆う透明カバー部材の少なくともいずれか一方の表面に透明導電膜を形成したので、透明カバー部材を筐体に形成した観察窓に係合させだけで、透明導電膜が筐体を介してアース接続されるので、表示パネルと透明カバー部材とを組付ける際の工数を増加させることなく、透明カバー部材に蓄積される電荷を速やかに逃がすことができる。従って、導電性を有する物体が透明カバー部材に近接し、或いは接触しても放電することがなく、静電気ノイズの発生を未然に防止することができ、観察者に不快感を与えることが無くなる。
【００２８】
第３の電子機器は、第２の電子機器において、前記透明導電膜が前記透明カバー部材の前記表示パネル側の面に形成されることを特徴とする。
【００２９】
このような構成では、透明導電膜を透明カバー部材の、表示パネル側の面に形成したので、透明カバー部材を筐体に形成した観察窓に外方から係合させるだけで、透明導電膜が筐体を介してアース接続されるため、組立時の作業効率が向上する。
【００３０】
第４の電子機器は、第３の電子機器において、前記透明導電膜が前記他方の基板の外表面に形成された基板透明導電層と電気的に接続されていることを特徴とする。
【００３１】
このような構成では、透明カバー部材の表示パネル側の面に形成された透明導電膜が、他方の基板の外表面に形成された基板透明導電層に電気的に接続されているので、例えば、基板透明導電層が偏光板である場合、この偏光板と透明導電膜との間を接着する接着剤が導電性を有していれば、表示パネル側に蓄積された電荷を、透明カバー部材を介して逃がすことができる。或いは透明カバー部材側に蓄積される電荷を表示パネルのアース配線を介して逃がすことができる。
【発明を実施するための最良の形態】
【００３２】
以下、図面に基づいて本発明の一実施形態を説明する。
【００３３】
［第１実施形態］
図１〜図３に本発明の第１実施形態を示す。図１は携帯電話機の斜視図、図２は図１のＡ−Ａ’断面図である。
【００３４】
図１の符号２００は、電子機器の代表である移動体端末としての携帯電話機の筐体であり、この筐体２００に観察窓２００ａが開口されている。又、この筐体２００の観察窓２００ａの下部に複数の操作ボタン２００ｂが配設されており、上部に受話口２００ｃが設けられている。尚、符号２００ｄは送話口である。
【００３５】
この筐体２００の内部に液晶装置１００が収容されている。図２に示すように、液晶装置１００は、液晶表示パネル１０を有し、この液晶表示パネル１０の図面下側にバックライト照明装置２０が配設されている。バックライト照明装置２０は、導光板１１と光源部１５と、導光板１１の反液晶表示パネル１０側に配設されている反射シート１４とを有している。
【００３６】
光源部１５は、導光板１１の端面に配置されており、内部に複数のＬＥＤで構成された照明用光源１６を備えている。この照明用光源１６から出射された照明光は、導光板１１の端面より導光板１１内へ導かれ、導光板１１の上下面の間で反射を繰り返すことで方向を変えて、液晶表示パネル１０側へ出射される。
【００３７】
又、液晶表示パネル１０は、互いに対向する１対のガラス製等の透明基板１，２を有し、両透明基板１，２がシール材３を介して貼り合わされ、両透明基板１，２とシール材３とで囲まれた領域に液晶４が挟持されたセル構造を有している。尚、後述するように、透明基板１には画素電極８が所定に配列されていると共にアース配線が形成されており、又透明基板２は着色画素６が形成されているため、以下においては、便宜的に、透明基板１をアレイ（ＡＲ）基板１、透明基板２をカラーフイルター（ＣＦ）基板２と称する。
【００３８】
又、ＡＲ基板１の外表面（図２の下面）、及びＣＦ基板２の外表面（図２の上側）に偏光板１２ａ，１２ｂが貼り付けられている。更に、ＣＦ基板２に貼り付けられている偏光板１２ｂの上面に、透明カバー部材としての透明樹脂製のカバーガラス１７が、透明接着層或いは表示領域の外周に枠状に塗布する接着剤（何れも図示せず）を介して貼り付けられている。
【００３９】
液晶表示パネル１０の表示面はカバーガラス１７に覆われて保護されていると共に、本実施形態ではカバーガラス１７と液晶表示パネル１０とが一体化されている。
【００４０】
このカバーガラス１７は、筐体２００に開口されている観察窓２００ａに係合された状態で装着されている。すなわち、観察窓２００ａの外周の筐体内部側に段部２００ｅが形成されおり、又、カバーガラス１７の外周の上面に、この段部２００ｅに筐体２００の内部から係合する段部１７ａが形成されている。そして、カバーガラス１７の段部１７ａを観察窓２００ａの段部２００ｅに係合させることで、カバーガラス１７が観察窓２００ａに位置決めされる。
【００４１】
カバーガラス１７は、アクリル樹脂やポリカーボネート樹脂などの透明樹脂の射出成形品であり、その外表面の全体に透明導電膜１３が形成されている。この透明導電膜１３を形成する方法は種々のものが考えられる。例えばＩＴＯ(Indium-Tin-Oxide)等の透明導電部材を用いてスパッタ法、蒸着法、ＣＶＤ法、スピンコート法等により成膜したり、或いはこのカバーガラス１７上に透明導電樹脂を印刷により塗布することで表面コーティングしたり、或いは液滴吐出手段を用いてカバーガラス１７上に塗布することで形成する等が考えられる。
【００４２】
又、筐体２００の段部２００ｅ及び内面に導電膜２００ｆが形成されており、この導電膜２００ｆが、筐体２００内に設けられたアース回路（図示せず）に電気的に接続されている。この導電膜２００ｆは、例えば樹脂メッキにより形成される。
【００４３】
このような構成では、携帯電話機の組み立て工程において、観察窓２００ａにカバーガラス１７を筐体２００の内部から装着すると、互いの段部２００ｅ，１７ａが係合して位置決めされる。同時に、カバーガラス１７の段部１７ａに形成されている透明導電膜１３が、筐体２００側の段部２００ｅに形成されている導電膜２００ｆと面接触してアース接続される。
【００４４】
このように、本実施形態では、カバーガラス１７を観察窓２００ａに装着するだけで、カバーガラス１７の表面に形成した透明導電膜１３と筐体２００に形成した導電膜２００ｆとを電気的に接続させることができるので、組み立て時の作業効率が向上する。又、カバーガラス１７と液晶表示パネル１０側のアース配線とを電気的に接続する必要がなく、液晶表示パネル１０の工程、及び携帯電話機を組み立てる際の工程を増加することもないので、製造工数の増加を抑制することができる。
【００４５】
又、カバーガラス１７に蓄積される電荷は透明導電膜１３を介して筐体２００側へ逃がされるので、画像の乱れ等の悪影響を及ぼす静電気ノイズの発生を未然に防止することができ、観察者に不快感を与えることがなくなる。
【００４６】
この場合、カバーガラス１７の、偏光板１２ｂに対向する面にも透明導電膜１３を形成し、偏光板１２ｂを、導電性を有する基板透明導電層とすると共に、基板透明導電層である偏光板１２ｂと透明導電膜１３との間を、導電性を有する接着層或いは接着剤で接着し、更に、ＣＦ基板２とＡＲ基板１とを、導電ペースなどの導通部（図示せず）を介して電気的に接続する。このようにすることで、液晶表示パネル１０側に蓄積される電荷を筐体２００側の導電膜２００ｆを介して逃がすことができる。或いはカバーガラス１７に蓄積される電荷を、液晶表示パネル１０のＡＲ基板１に形成されているアース配線を介して逃がすことができる。
【００４７】
次に、図３を参照しながら、横電界方式の液晶表示パネル１０の内部構造について簡単に説明する。尚、同図（ａ）は、１つのサブ画素における液晶表示パネル１０の拡大断面図、（ｂ）はその平面図である。
【００４８】
図３には、ＦＦＳ(Fringe Field Switching)方式の液晶表示パネル１０が示されている。同図（ａ）に示すように、ＡＲ基板１の液晶４との界面側の面（対向面）には、ＩＴＯ等の透明導電部材により共通電極５が全面に形成されている。又、この共通電極５上に絶縁層７を介して、ＩＴＯ等の透明導電部材により画素電極８が形成されている。尚、図示しないがＡＲ基板１の対向面の最上層に配向膜が形成されている。
【００４９】
一方、ＣＦ基板２の液晶４との界面側の面（対向面）には、着色画素６が形成されている。又、この対向面の最上層に配向膜９が形成されている。
【００５０】
図３（ｂ）に示すように、画素電極８は、複数の導電部８ａ〜８ｅが一定間隔を開けて櫛歯状に配列されており、この各導電部８ａ〜８ｅが基部側で互いに電気的に接続された一体構造をなしている。液晶表示パネル１０は、この各導電部８ａ〜８ｅと共通電極５との間で横方向の電界（横電界）Ｅを発生させる。
【００５１】
この画素電極８は、ＡＲ基板１上に形成された配線（図示せず）を通じて、図示しないドライバＩＣの一部の端子と電気的に接続されている。又、共通電極５は、ＡＲ基板１に形成された他の配線を通じて、ドライバＩＣの共通電位用端子（ＣＯＭ端子）と電気的に接続されている。尚、ドライバＩＣは、外部の電子機器から供給された制御信号を基に電界Ｅの大きさを制御する。横電界方式の液晶表示パネル１０では、電界Ｅの大きさを制御することにより、液晶４における液晶分子の配向状態を変化させ、表示画面における階調を変化させる。
【００５２】
［第２実施形態］
図４に本発明の第２実施形態による図２相当の断面図を示す。上述した第１実施形態ではカバーガラス１７を液晶表示パネル１０と予め一体化した後、携帯電話機の筐体２００に対して内方から取付けているが、本実施形態では、カバーガラス１７を一体に有する液晶表示パネル１０を、筐体２００に対して外方から取付けるようにしたものである。尚、第１実施形態と同一の構成部分については同一の符号を付して説明を省略する。
【００５３】
本実施形態では、観察窓２００ａの内周が、液晶表示パネル１０を外方から内部へ挿通できる大きさに形成されている。尚、バックライト照明装置２０の光源部１５は後付けにしても良く、或いはこの光源部１５を挿通可能な大きさに観察窓２００ａが形成されていても良い。
【００５４】
この観察窓２００ａの外周の筐体外部側に段部２００ｅが形成されている。又、カバーガラス１７の外周の下面に、段部２００ｅに対して筐体２００の外方から係合する段部１７ａが形成されている。更に、カバーガラス１７の内表面、すなわち液晶表示パネル１０側の面全体に透明導電膜１３が形成されている。尚、カバーガラス１７の材質、及び成形方法、及び透明導電膜１３の形成方法は第１実施形態と同様である。
【００５５】
又、筐体２００の段部２００ｅから内面にかけて、樹脂メッキ等により導電膜２００ｆが形成されており、この導電膜２００ｆが、筐体２００内に設けられたアース回路（図示せず）に電気的に接続されている。
【００５６】
このような構成では、携帯電話機の組み立て工程において、観察窓２００ａに対して外方からカバーガラス１７を一体に有する液晶表示パネル１０を挿通する。すると、カバーガラス１７の外周に形成されている段部１７ａが、観察窓２００ａの内周に形成されている段部２００ｅに係合して位置決めされると共に、カバーガラス１７の段部１７ａに形成されている透明導電膜１３が、筐体２００側の段部２００ｅに形成されている導電膜２００ｆと面接触してアース接続される。その結果、カバーガラス１７に蓄積される電荷が筐体２００に形成されている導電膜２００ｆを介して逃がされる。
【００５７】
このように、本実施形態では、カバーガラス１７を一体に有する液晶表示パネル１０を、筐体２００の観察窓２００ａに対して外部から装着するだけで、カバーガラス１７の表面に形成した透明導電膜１３と筐体２００に形成した導電膜２００ｆとを電気的に接続させることができる。
【００５８】
従って、カバーガラス１７と液晶表示パネル１０側のアース配線とを電気的に接続する必要がなく、液晶表示パネル１０の工程、及び携帯電話機を組み立てる際の工程を増加する必要もなく、製造工数の増加を抑制することができる。更に、カバーガラス１７に蓄積される電荷が直ちに逃がされるため、画像の乱れ等の悪影響を及ぼす静電気ノイズの発生を未然に防止することができ、観察者に不快感を与えることがなくなる。
【００５９】
尚、この場合、ＣＦ基板２の外表面に接着されている偏光板１２ｂを、導電性を有する基板透明導電層とすると共に、偏光板１２ｂとカバーガラス１７との間を、導電性を有する接着層或いは接着剤で接着する。更に、ＣＦ基板２とＡＲ基板１とを導電ペーストなどの導通部を介して電気的に接続する。このようにすることで、液晶表示パネル１０側に蓄積される電荷を筐体２００側へ逃がすことができる。或いはカバーガラス１７に蓄積される電荷を、液晶表示パネル１０のＡＲ基板１に形成されているアース配線を介して逃がすことができる。
【００６０】
又、本発明に係る液晶装置１００を適用可能な電子機器としては、携帯電話機以外に、パーソナルコンピュータのモニタや液晶テレビ、ビューファインダ型・モニタ直視型のビデオテープレコーダ、カーナビゲーション装置、ページャ、電子手帳、電卓、ワードプロセッサ、ワークステーション、テレビ電話、ＰＯＳ端末、ディジタルスチルカメラ等がある。
【図面の簡単な説明】
【００６１】
【図１】第１実施形態による携帯電話機の斜視図
【図２】同、図１のＡ−Ａ’断面図
【図３】同、液晶装置のサブ画素を示し、（ａ）はその断面図、（ｂ）はその平面図
【図４】第２実施形態による図２相当の断面図
【図５】従来の静電対策が施されている液晶装置の要部拡大断面図
【符号の説明】
【００６２】
１…ＡＲ基板、２…ＣＦ基板、４…液晶、５…共通電極、８…画素電極、１０…液晶表示パネル、１３…透明導電膜、１７…カバーガラス、１７ａ…段部、２００…筐体、２００ａ…観察窓、２００ｅ…段部、２００ｆ…導電膜
【図１】
2008203591.tif 000003
【図２】
2008203591.tif 000004
【図３】
2008203591.tif 000005
【図４】
2008203591.tif 000006
【図５】
2008203591.tif 000007